(57)【要約】【課題】建築物内にいる人の快適性を損なうことなく、当該建築物内の残熱を利用して、蓄電装置収納室内の温度を蓄電装置に適した温度に調節することができる収納室温度調節システムを提供する。【解決手段】住宅１００のリビング１０９と蓄電装置収納室１１０とを連通するダクト２０４と、蓄電装置収納室１１０内の温度を検出する第一温度センサ２０８と、リビング１０９内の温度を検出する第二温度センサ２０９と、リビング１０９内に人が滞在しているか否かを検出する人検出手段２１１と、蓄電装置収納室１１０内の温度とリビング１０９内の温度とが異なり、かつリビング１０９内に人が滞在していない場合、蓄電装置収納室１１０内の温度が設定温度になるまでリビング１０９の空気を蓄電装置収納室１１０へと供給する制御手段２１２と、を具備した。【選択図】図３
2013136884.tif 000002
【特許請求の範囲】
【請求項１】
建築物で利用される電力を充放電可能な蓄電装置を収納した蓄電装置収納室の室内の温度を調節する収納室温度調節システムであって、
前記建築物の所定の部屋と前記蓄電装置収納室とを連通するダクトと、
前記蓄電装置収納室内の温度を検出する第一温度検出手段と、
前記所定の部屋内の温度を検出する第二温度検出手段と、
前記所定の部屋内に人が滞在しているか否かを検出する人検出手段と、
前記蓄電装置収納室内の温度と前記所定の部屋内の温度とが異なり、かつ前記所定の部屋内に人が滞在していない場合、前記蓄電装置収納室内の温度が設定温度になるまで前記所定の部屋の空気を前記蓄電装置収納室へと供給する制御手段と、
を具備する収納室温度調節システム。
【請求項２】
前記所定の部屋の空気を前記蓄電装置収納室へと供給する手段としてファンを具備し、
前記制御手段は、
前記ファンを駆動させる際の前記蓄電装置収納室内の温度が前記所定の部屋内の温度よりも高い場合は、
検出される前記所定の部屋内の温度以下の温度又は予め設定される高温限界温度以下の温度を前記設定温度とする、
請求項１に記載の収納室温度調節システム。
【請求項３】
前記所定の部屋の空気を前記蓄電装置収納室へと供給する手段としてファンを具備し、
前記制御手段は、
前記ファンを駆動させる際の前記蓄電装置収納室内の温度が前記所定の部屋内の温度よりも低い場合は、
検出される前記所定の部屋内の温度以上の温度又は予め設定される低温限界温度以上の温度を前記設定温度とする、
請求項１に記載の収納室温度調節システム。
【請求項４】
前記所定の部屋の空気を前記蓄電装置収納室へと供給する手段としてファンを具備し、
前記制御手段は、
前記ファンを駆動させる際の前記蓄電装置収納室内の温度が前記所定の部屋内の温度よりも高い場合は、
検出される前記所定の部屋内の温度以下の温度又は予め設定される高温限界温度以下の温度を前記設定温度とし、
前記ファンを駆動させる際の前記蓄電装置収納室内の温度が前記所定の部屋内の温度よりも低い場合は、
検出される前記所定の部屋内の温度以上の温度又は予め設定される低温限界温度以上の温度を前記設定温度とする、
請求項１に記載の収納室温度調節システム。
【発明の詳細な説明】
【技術分野】
【０００１】
本発明は、建築物で利用される電力を充放電可能な蓄電装置を収納した蓄電装置収納室の室内の温度を調節する収納室温度調節システムの技術に関する。
【背景技術】
【０００２】
従来、建築物で利用される電力を充放電可能な蓄電装置を収納した蓄電装置収納室の室内の温度を調節する収納室温度調節システムの技術は公知となっている。例えば、特許文献１に記載の如くである。
【０００３】
特許文献１に記載の収納室温度調節システムでは、蓄電装置収納室内の温度が低くなった場合、建築物の所定の部屋と当該蓄電装置収納室とを連通させ、比較的暖かい当該所定の部屋内の空気を蓄電装置収納室へと供給することで、蓄電装置収納室内の温度を上昇させることができる。これによって、蓄電装置収納室内の温度を蓄電装置に適した温度に調節することができる。
【０００４】
しかし、特許文献１に記載の技術では、所定の部屋の温度を変化（低下）させてしまうことになるため、当該部屋に人がいる場合においては、当該人の快適性を悪化させてしまう（寒いと感じさせてしまう）ことになる点で不利であった。
【先行技術文献】
【特許文献】
【０００５】
【特許文献１】特開２０１０−１６３８４９号公報
【発明の概要】
【発明が解決しようとする課題】
【０００６】
本発明は以上の如き状況に鑑みてなされたものであり、その解決しようとする課題は、建築物内にいる人の快適性を損なうことなく、当該建築物内の残熱を利用して、蓄電装置収納室内の温度を蓄電装置に適した温度に調節することができる収納室温度調節システムを提供するものである。
【課題を解決するための手段】
【０００７】
本発明の解決しようとする課題は以上の如くであり、次にこの課題を解決するための手段を説明する。
【０００８】
即ち、請求項１においては、建築物で利用される電力を充放電可能な蓄電装置を収納した蓄電装置収納室の室内の温度を調節する収納室温度調節システムであって、前記建築物の所定の部屋と前記蓄電装置収納室とを連通するダクトと、前記蓄電装置収納室内の温度を検出する第一温度検出手段と、前記所定の部屋内の温度を検出する第二温度検出手段と、前記所定の部屋内に人が滞在しているか否かを検出する人検出手段と、前記蓄電装置収納室内の温度と前記所定の部屋内の温度とが異なり、かつ前記所定の部屋内に人が滞在していない場合、前記蓄電装置収納室内の温度が設定温度になるまで前記所定の部屋の空気を前記蓄電装置収納室へと供給する制御手段と、を具備するものである。
【０００９】
請求項２においては、前記所定の部屋の空気を前記蓄電装置収納室へと供給する手段としてファンを具備し、前記制御手段は、前記ファンを駆動させる際の前記蓄電装置収納室内の温度が前記所定の部屋内の温度よりも高い場合は、検出される前記所定の部屋内の温度以下の温度又は予め設定される高温限界温度以下の温度を前記設定温度とするものである。
【００１０】
請求項３においては、前記所定の部屋の空気を前記蓄電装置収納室へと供給する手段としてファンを具備し、前記制御手段は、前記ファンを駆動させる際の前記蓄電装置収納室内の温度が前記所定の部屋内の温度よりも低い場合は、検出される前記所定の部屋内の温度以上の温度又は予め設定される低温限界温度以上の温度を前記設定温度とするものである。
【００１１】
請求項４においては、前記所定の部屋の空気を前記蓄電装置収納室へと供給する手段としてファンを具備し、前記制御手段は、前記ファンを駆動させる際の前記蓄電装置収納室内の温度が前記所定の部屋内の温度よりも高い場合は、検出される前記所定の部屋内の温度以下の温度又は予め設定される高温限界温度以下の温度を前記設定温度とし、前記ファンを駆動させる際の前記蓄電装置収納室内の温度が前記所定の部屋内の温度よりも低い場合は、検出される前記所定の部屋内の温度以上の温度又は予め設定される低温限界温度以上の温度を前記設定温度とするものである。
【発明の効果】
【００１２】
本発明の効果として、以下に示すような効果を奏する。
【００１３】
請求項１においては、所定の部屋に人がいなくなった後、当該部屋の残熱を利用して、蓄電装置収納室内の温度を蓄電装置に適した温度に調節することができる。
【００１４】
請求項２においては、蓄電装置収納室の室内の温度が高温になった場合においては、所定の部屋の冷たい空気を供給し、当該蓄電装置収納室内の温度を蓄電装置に適した温度、又は可能な限り低い温度に調節することができる。
【００１５】
請求項３においては、蓄電装置収納室の室内の温度が低温になった場合においては、所定の部屋の暖かい空気を供給し、当該蓄電装置収納室内の温度を蓄電装置に適した温度、又は可能な限り高い温度に調節することができる。
【００１６】
請求項４においては、蓄電装置収納室の室内の温度が高温になった場合においては、所定の部屋の冷たい空気を供給し、当該蓄電装置収納室内の温度を蓄電装置に適した温度、又は可能な限り低い温度に調節することができる。また、蓄電装置収納室の室内の温度が低温になった場合においては、所定の部屋の暖かい空気を供給し、当該蓄電装置収納室内の温度を蓄電装置に適した温度、又は可能な限り高い温度に調節することができる。
【図面の簡単な説明】
【００１７】
【図１】本発明の一実施形態に係る収納室温度調節システムを具備する住宅の１階部分を示した平面図。
【図２】住宅が具備する電力供給システムを示したブロック図。
【図３】収納室温度調節システムの構成を示した側面断面模式図。
【図４】収納室温度調節システムの制御態様を示したフローチャート。
【発明を実施するための形態】
【００１８】
まず、図１を用いて、本発明に係る収納室温度調節システムの一実施形態に係る収納室温度調節システム２００を具備する住宅１００（１階部分のみ）の全体構成について説明する。なお、本発明は住宅に適用されるものに限らず、オフィスビル、駅舎、ホテル等の種々の建築物に広く適用することが可能である。
【００１９】
住宅１００の１階には、玄関１０１、玄関ホール１０２、廊下１０３、トイレ１０４、折り返し階段１０５、階段下収納１０６、デッキ１０７及び車庫１０８が配置される。
【００２０】
住宅１００の北東部分には玄関１０１が配置され、当該玄関１０１の南西側には玄関ホール１０２が配置される。玄関ホール１０２の西側には、西方向に向かって廊下１０３が延設される。廊下１０３の北側には、東から西に向かって順にトイレ１０４及び折り返し階段１０５が住宅１００の外壁１００ａに沿うように配置される。また、折り返し階段１０５の下方には階段下収納１０６が配置される。
【００２１】
階段下収納１０６内には、蓄電装置収納室１１０が配置され、さらに当該蓄電装置収納室１１０内には、後述する蓄電装置４０が配置される。
【００２２】
廊下１０３の西端（住宅１００の南西部分）には、デッキ１０７が配置される。デッキ１０７の東側（住宅１００の南東部分）には、車庫１０８が配置される。
【００２３】
次に、図２を用いて、住宅１００が具備する電力供給システム１について説明する。
【００２４】
電力供給システム１は、住宅等に設けられ、商用電源９０からの電力及び自然エネルギーにより発電された電力を特定の負荷へと供給するものである。電力供給システム１は、主として発電部１０、パワーコンディショナ２０、分電盤３０、蓄電装置４０、負荷５０（特定の負荷）、その他の負荷８０、ホームサーバ６０及び携帯型端末７０等を具備する。
【００２５】
発電部１０は、太陽光を利用して発電する装置であり、太陽電池パネル等により構成される。発電部１０は、例えば、住宅の屋根の上に設置される。
【００２６】
パワーコンディショナ２０は、発電部１０において発電された直流電力を交流電力に変換し、商用電源９０の電圧、周波数、位相に合わせる機能を有するものである。パワーコンディショナ２０は、発電部１０に接続される。
パワーコンディショナ２０には、停電時（商用電源９０からの電力が供給不能な場合）における「自立運転モード」のＯＮとＯＦＦとを切り換えるための運転切換スイッチ２０ａが設けられる。
また、パワーコンディショナ２０には、停電時（非常時）において発電部１０からの電力を取り出すための非常用コンセント２１が接続される。
【００２７】
分電盤３０は、漏電遮断器、配線遮断器及び制御ユニット等をまとめたものである。分電盤３０は、パワーコンディショナ２０及び商用電源９０に接続される。
分電盤３０には、後述する蓄電装置４０が充電、放電及び情報（データ）のやり取りを行うための充放電用コンセント群３１（より詳細には、充放電用コンセント群３１のうち後述する充電用コンセント３２及びＬＡＮ用コンセント３３のみ）が接続される。
【００２８】
充放電用コンセント群３１は、充電用コンセント３２、ＬＡＮ用コンセント３３及び放電用コンセント３４を具備する。
【００２９】
蓄電装置４０は、電力を充電するとともに、当該充電した電力を放電するものである。本実施形態に係る蓄電装置４０は、電力を充放電可能なリチウムイオン電池及び当該リチウムイオン電池からの直流電力を交流電力に変換するインバータ等を具備する。
蓄電装置４０は、停電時（非常時）における充電用のケーブル４１を介して非常用コンセント２１に接続される。
また、蓄電装置４０は、通常時における充電用のケーブル４２を介して充放電用コンセント群３１の充電用コンセント３２に、放電用のケーブル４３を介して充放電用コンセント群３１の放電用コンセント３４に、それぞれ接続される。
また、蓄電装置４０は、ＬＡＮケーブル４４を介して充放電用コンセント群３１のＬＡＮ用コンセント３３に接続される。
【００３０】
負荷５０は、住宅内において電力が消費される電化製品等であり、特に、停電時（非常時）においても電力を供給する必要がある「特定の負荷」である。
本実施形態においては、負荷５０（特定の負荷）として、リビングに設けられるリビングコンセント５１、冷蔵庫５２、及びリビングに設けられるリビング照明５３を用いるものとする。また、リビングコンセント５１には、テレビ５１ａが接続されるものとする。
負荷５０は、それぞれ間接的に（本実施形態においては、充放電用コンセント群３１の放電用コンセント３４及び図示しない漏電遮断器等を介して）蓄電装置４０に接続される。
【００３１】
その他の負荷８０は、住宅内において電力が消費される電化製品等であり、前述の負荷５０（特定の負荷）とは異なり、停電時（非常時）においては電力を供給する必要がない（非常時に電力を供給する必要性が低い）負荷である。その他の負荷８０としては、例えば、リビング以外に設けられるコンセントや照明等が挙げられる。
その他の負荷８０は、分電盤３０に接続される。
【００３２】
ホームサーバ６０は、電力供給システム１内の情報を管理する制御手段である。
ホームサーバ６０は、分電盤３０に接続される。ホームサーバ６０は、パワーコンディショナ２０及び蓄電装置４０等と情報のやり取りが可能とされ、当該パワーコンディショナ２０及び蓄電装置４０等の運転を制御することができる。
【００３３】
携帯型端末７０は、住宅の居住者が電力供給システム１の状態を確認したり、当該電力供給システム１の運転状態を変更するための操作をしたりするためのものである。携帯型端末７０としては、表示装置と入力装置を組み合わせたタッチパネル等を用いることができる。
携帯型端末７０は、無線によりホームサーバ６０と情報のやり取りをすることができる。
【００３４】
次に、図２を用いて、上述の如く構成された電力供給システム１において、商用電源９０からの電力が問題なく供給される場合の電力の供給態様について説明する。
【００３５】
通常、すなわち商用電源９０からの電力が問題なく供給可能な場合、パワーコンディショナ２０の運転切換スイッチ２０ａは居住者によってＯＦＦに切り換えられている。この場合、パワーコンディショナ２０の自立運転モードはＯＦＦとされ、当該パワーコンディショナ２０の非常用コンセント２１からの電力の取り出しはできない。
【００３６】
この状態においては、発電部１０において発電された直流電力は、パワーコンディショナ２０において交流電力に変換され、分電盤３０に供給される。また、商用電源９０からの交流電力も分電盤３０に供給される。
【００３７】
当該発電部１０及び商用電源９０から分電盤３０に供給された電力は、適宜の時間帯にケーブル４２を介して蓄電装置４０に充電される。当該充電する時間帯は、携帯型端末７０を用いて任意に設定することができる。例えば深夜に充電するように設定すれば、料金の安い深夜電力を蓄電装置４０に充電することができる。また、昼間の太陽光が十分に照射される時間帯に発電部１０からの電力を充電するように設定すれば、当該発電部１０において自然エネルギー（太陽光）を利用して発電された電力を蓄電装置４０に充電することができる。
なお、この場合（通常時）においては、発電部１０及び商用電源９０からの電力を蓄電装置４０に充電する際、同時に当該蓄電装置４０からその他の負荷８０へと電力が供給（放電）されることはない。このように、充電と放電とを同時に行わないようにすることによって、蓄電装置４０（より詳細には、当該蓄電装置４０内の蓄電池（リチウムイオン電池））の劣化を防止することができる。
【００３８】
また、発電部１０及び商用電源９０から分電盤３０に供給された電力は、その他の負荷８０に供給される。すなわち、居住者は、発電部１０及び商用電源９０からの電力によって、リビング以外に設けられるコンセントに接続された機器を利用したり、リビング以外の照明等を点灯させたりすることができる。
【００３９】
また、その他の負荷８０で消費する電力が、発電部１０からの電力だけで十分まかなえる場合は、商用電源９０からの電力を用いないようにすることも可能である。これによって、電力料金を節約することができる。
【００４０】
さらに、蓄電装置４０に充電された電力を、ケーブル４３を介して負荷５０に供給することも可能である。当該蓄電装置４０から負荷５０に電力を供給する時間帯は、携帯型端末７０を用いて任意に設定することができる。例えば深夜に充電した電力を昼間に負荷５０に供給するように設定することで、電力料金を節約することができる。
なお、通常時においては、蓄電装置４０から負荷５０に電力を供給（放電）する際、同時に発電部１０及び商用電源９０からの電力が蓄電装置４０に充電されることはない。このように、充電と放電とを同時に行わないようにすることによって、蓄電装置４０（より詳細には、当該蓄電装置４０内の蓄電池（リチウムイオン電池））の劣化を防止することができる。
【００４１】
上述の如く発電部１０、商用電源９０及び蓄電装置４０からの電力を適宜負荷５０及びその他の負荷８０に供給するための制御は、ホームサーバ６０に記憶された制御プログラムに基づいてなされる。
また、上述の如き電力の供給状態は携帯型端末７０の表示装置に表示され、居住者は当該携帯型端末７０により電力の供給状態を確認することができる。
【００４２】
次に、停電時（商用電源９０からの電力が供給不能な場合）における電力の供給態様について説明する。
【００４３】
停電時（非常時）においては、電力会社の電力復旧作業を妨げないように、商用電源９０から分電盤３０への電力系統及びパワーコンディショナ２０から分電盤３０への電力系統（分電盤３０を介する電力系統）に電力が流されることがない。従って、発電部１０および商用電源９０からの電力が分電盤３０を介して蓄電装置４０に充電されることはない。一方、蓄電装置４０に充電されている電力は、ケーブル４３を介して負荷５０に供給（放電）することが可能である。すなわち、停電した場合であっても、負荷５０のスイッチがＯＮにされた場合、蓄電装置４０に充電された電力を用いて負荷５０（テレビ５１ａ等）を使用することが可能である。
【００４４】
また、この停電時（非常時）においては、居住者は、パワーコンディショナ２０の運転切換スイッチ２０ａをＯＮに切り換える。これによって、パワーコンディショナ２０の自立運転モードがＯＮとされ、当該パワーコンディショナ２０の非常用コンセント２１からの電力の取り出しが可能となる。
但し、運転切換スイッチ２０ａは、分電盤３０において停電であることが検知された情報をパワーコンディショナ２０に送信し、自動的にＯＮに切り換えられるように構成することも可能である。
【００４５】
この状態においては、発電部１０において発電された電力は、パワーコンディショナ２０、非常用コンセント２１及びケーブル４１を介して蓄電装置４０に充電される。
【００４６】
また、蓄電装置４０が充電中であっても、負荷５０のスイッチがＯＮにされた場合、蓄電装置４０に充電された電力（通常時においてあらかじめ充電されていた電力及び非常時において発電部１０から供給された電力）は、ケーブル４３を介して負荷５０に供給される。なお、停電時において電力を供給するのは必要最低限の負荷（負荷５０）のみであり、その他の負荷８０には電力は供給されない。
【００４７】
上述の如く、停電時においては、発電部１０からの電力を蓄電装置４０に充電しながら、同時に当該蓄電装置４０の電力を負荷５０に供給することができる。このように、蓄電装置４０の電力を放電するだけでなく、並行して充電も行うことで、あらかじめ蓄電装置４０に充電された電力及び発電部１０において新たに発電された電力を効率良く負荷５０へ供給することができる。また、このように蓄電装置４０の充電と放電とを同時に行うことで当該蓄電装置４０（より詳細には、当該蓄電装置４０内の蓄電池（リチウムイオン電池））の劣化が懸念されるが、充電と放電とを同時に行うのは停電時（非常時）のみであるため、当該蓄電装置４０の劣化を最小限に抑えつつ、非常時には電力を効率良く負荷５０へと供給することができる。
【００４８】
次に、図３を用いて、収納室温度調節システム２００の構成について説明する。
【００４９】
収納室温度調節システム２００は、住宅１００で利用される電力を充放電可能な蓄電装置４０を収納した蓄電装置収納室１１０の室内の温度を調節するものである。収納室温度調節システム２００は、主としてリビング給気口２０１、リビング排気口２０２、収納室給気口２０３、ダクト２０４、給気ファン２０５、収納室第二給気口２１３、収納室排気口２０６、排気ファン２０７、第一温度センサ２０８、第二温度センサ２０９、第三温度センサ２１０、人検出手段２１１及び制御手段２１２等を具備する。
【００５０】
リビング給気口２０１は、住宅１００に設けられたリビング１０９の室内と住宅１００の外部とを連通するように形成される。リビング給気口２０１は、リビング１０９を形成している外壁１００ａに形成される。
なお、リビング１０９は、本発明に係る所定の部屋の一実施形態であり、住宅１００のどの階に配置されていても良い。
【００５１】
リビング排気口２０２は、リビング１０９の室内と室外とを連通するように形成される。リビング排気口２０２は、リビング１０９の床面に形成され、後述する給気ファン２０５の駆動に連動して開閉可能なシャッターを備える。
【００５２】
収納室給気口２０３は、蓄電装置収納室１１０の室内と室外とを連通するように形成される。収納室給気口２０３は、蓄電装置収納室１１０の床面に形成される。
【００５３】
ダクト２０４は、リビング１０９と蓄電装置収納室１１０とを連通するものである。ダクト２０４の一端はリビング排気口２０２に接続され、ダクト２０４の他端は収納室給気口２０３に接続される。ダクト２０４は、防音効果の高い材料によって形成される、又は防音のための措置が施されていることが好ましい。
【００５４】
給気ファン２０５は、本発明に係るファンの一実施形態であり、ダクト２０４内の空気を蓄電装置収納室１１０内へと供給することで、ひいてはリビング１０９の空気を蓄電装置収納室１１０へと供給するものである。給気ファン２０５は、収納室給気口２０３に配置される。給気ファン２０５が駆動されると、ダクト２０４内の空気が蓄電装置収納室１１０内へと供給される。
また、給気ファン２０５が駆動されると、それに連動してリビング排気口２０２のシャッターが開き、給気ファン２０５の駆動が停止されると、それに連動してリビング排気口２０２のシャッターが閉じるように構成される。
【００５５】
収納室第二給気口２１３は、蓄電装置収納室１１０の室内と住宅１００の外部とを連通するように形成される。収納室第二給気口２１３は、蓄電装置収納室１１０を形成している外壁１００ａに形成される。
【００５６】
収納室排気口２０６は、蓄電装置収納室１１０の室内と住宅１００の外部とを連通するように形成される。収納室排気口２０６は、蓄電装置収納室１１０を形成している外壁１００ａに形成される。
【００５７】
排気ファン２０７は、本発明に係るファンの一実施形態であり、蓄電装置収納室１１０内の空気を住宅１００の外部へと排出することで、ひいてはリビング１０９の空気を蓄電装置収納室１１０へと供給するものである。排気ファン２０７は、収納室排気口２０６に配置される。排気ファン２０７が駆動されると、蓄電装置収納室１１０内の空気が住宅１００の外部へと排出される。
【００５８】
第一温度センサ２０８は、本発明に係る第一温度検出手段の一実施形態であり、蓄電装置収納室１１０内の温度を検出するものである。第一温度センサ２０８は、蓄電装置収納室１１０の内側壁に固定される。
【００５９】
第二温度センサ２０９は、本発明に係る第二温度検出手段の一実施形態であり、リビング１０９内の温度を検出するものである。第二温度センサ２０９は、リビング１０９の内側壁に固定される。
【００６０】
第三温度センサ２１０は、住宅１００の外部の温度を検出するものである。第三温度センサ２１０は、住宅１００の外側壁に固定される。
【００６１】
人検出手段２１１は、リビング１０９内に人が滞在しているか否かを検出するものである。人検出手段２１１は、人感センサ２１１ａ及びエアコン５４により構成される。
【００６２】
人感センサ２１１ａは、リビング１０９内に人が存在するか否かを検出するものである。人感センサ２１１ａは、リビング１０９の天井に固定される。
【００６３】
エアコン５４は、リビング１０９内の温度や湿度を調節するものである。エアコン５４は、リビング１０９の内側壁に固定される。
【００６４】
制御手段２１２は、種々の情報に基づいて給気ファン２０５及び排気ファン２０７の駆動を制御するものである。制御手段２１２は、ＲＡＭやＲＯＭ等の記憶部、ＣＰＵ等の演算処理部等により構成される。
制御手段２１２は給気ファン２０５に接続され、当該給気ファン２０５の駆動を制御することができる。
制御手段２１２は排気ファン２０７に接続され、当該排気ファン２０７の駆動を制御することができる。
制御手段２１２は第一温度センサ２０８に接続され、蓄電装置収納室１１０内の温度に関する情報を取得することができる。
制御手段２１２は第二温度センサ２０９に接続され、リビング１０９内の温度に関する情報を取得することができる。
制御手段２１２は第三温度センサ２１０に接続され、住宅１００の外部の温度に関する情報を取得することができる。
制御手段２１２は人感センサ２１１ａに接続され、リビング１０９内の人の存在に関する情報を取得することができる。
制御手段２１２はエアコン５４に接続され、当該エアコン５４の運転状態に関する情報を取得することができる。
【００６５】
次に、図３及び図４を用いて、収納室温度調節システム２００による蓄電装置収納室１１０の室内の温度を調節する際の制御態様について説明する。
【００６６】
なお、以下では、第一温度センサ２０８によって検出される蓄電装置収納室１１０内の実際の温度を「収納室温度Ｔ１」とし、第二温度センサ２０９によって検出されるリビング１０９内の実際の温度を「リビング温度Ｔ２」とする。また、予め設定される温度を「高温限界温度Ｔｈ」及び「低温限界温度Ｔｗ」とする。
なお、高温限界温度Ｔｈは、蓄電装置４０に不具合が発生することがなく、また当該蓄電装置４０が効率良く稼働することができる温度帯のうち、最も高い温度に近い値に設定される。例えば、Ｔｈ＝３０（℃）等に設定される。
また、低温限界温度Ｔｗは、蓄電装置４０に不具合が発生することがなく、また当該蓄電装置４０が効率良く稼働することができる温度帯のうち、最も低い温度に近い値に設定される。例えば、Ｔｗ＝２０（℃）等に設定される。
【００６７】
図４に示すステップＳ１０１において、制御手段２１２は、収納室温度Ｔ１がリビング温度Ｔ２より高いか否かを判定する。
制御手段２１２は、収納室温度Ｔ１がリビング温度Ｔ２より高いと判定した場合、ステップＳ１０２に移行する。
制御手段２１２は、収納室温度Ｔ１がリビング温度Ｔ２より高くないと判定した場合、ステップＳ１０６に移行する。
【００６８】
ステップＳ１０２において、制御手段２１２は、リビング１０９に人が滞在していないか否かを判定する。
【００６９】
制御手段２１２は、人感センサ２１１ａ及びエアコン５４からの情報に基づいて、リビング１０９に人が滞在していないか否かの判定を行う。
具体的には、人感センサ２１１ａによってリビング１０９に人が存在していないことが検出され、かつエアコン５４が停止されている場合には、リビング１０９に人は滞在していないものと判定する。
人感センサ２１１ａによってリビング１０９に人が存在していないことが検出された場合であっても、エアコン５４が運転されている場合には、人が何らかの用事で一時的にリビング１０９を退出しているだけで、またすぐにリビング１０９に戻ってくるものと予測される。この場合には、制御手段２１２は、リビング１０９に人は滞在しているものと判定する。
また、人感センサ２１１ａによってリビング１０９に人が存在していることが検出された場合には、制御手段２１２は当然リビング１０９に人が滞在しているものと判定する。
【００７０】
制御手段２１２は、リビング１０９に人が滞在していないと判定した場合、ステップＳ１０３に移行する。
制御手段２１２は、リビング１０９に人が滞在していると判定した場合、ステップＳ１０１の処理を再度行う。
【００７１】
ステップＳ１０３において、制御手段２１２は、給気ファン２０５及び排気ファン２０７を駆動させる。
これによって、住宅１００の外部の空気がリビング給気口２０１を介してリビング１０９内に供給され、リビング１０９内の空気がリビング排気口２０２、ダクト２０４及び収納室給気口２０３を介して蓄電装置収納室１１０内に供給され、蓄電装置収納室１１０内の空気が収納室排気口２０６を介して住宅１００の外部へと排出される。このようにして、比較的冷たいリビング１０９内の空気を蓄電装置収納室１１０内へと供給することができ、当該蓄電装置収納室１１０内の温度（収納室温度Ｔ１）を下げることができる。
制御手段２１２は、上記処理を行った後、ステップＳ１０４に移行する。
【００７２】
ステップＳ１０４において、制御手段２１２は、収納室温度Ｔ１がリビング温度Ｔ２以下になったか、又は収納室温度Ｔ１が高温限界温度Ｔｈ以下になったか否かを判定する。
制御手段２１２は、収納室温度Ｔ１がリビング温度Ｔ２以下になった、又は収納室温度Ｔ１が高温限界温度Ｔｈ以下になったと判定した場合、ステップＳ１０５に移行する。
制御手段２１２は、収納室温度Ｔ１がリビング温度Ｔ２より高く、かつ収納室温度Ｔ１が高温限界温度Ｔｈより高いと判定した場合、再度ステップＳ１０４の処理を行う。
【００７３】
ステップＳ１０５において、制御手段２１２は、給気ファン２０５及び排気ファン２０７の駆動を停止させる。
【００７４】
また、ステップＳ１０６において、制御手段２１２は、収納室温度Ｔ１がリビング温度Ｔ２より低いか否かを判定する。
制御手段２１２は、収納室温度Ｔ１がリビング温度Ｔ２より低いと判定した場合、ステップＳ１０７に移行する。
制御手段２１２は、収納室温度Ｔ１がリビング温度Ｔ２より低くないと判定した場合、ステップＳ１０１の処理を再度行う。
【００７５】
ステップＳ１０７において、制御手段２１２は、リビング１０９に人が滞在していないか否かを判定する。
制御手段２１２は、リビング１０９に人が滞在していないと判定した場合、ステップＳ１０８に移行する。
制御手段２１２は、リビング１０９に人が滞在していると判定した場合、ステップＳ１０１の処理を再度行う。
【００７６】
ステップＳ１０８において、制御手段２１２は、給気ファン２０５及び排気ファン２０７を駆動させる。
これによって、住宅１００の外部の空気がリビング給気口２０１を介してリビング１０９内に供給され、リビング１０９内の空気がリビング排気口２０２、ダクト２０４及び収納室給気口２０３を介して蓄電装置収納室１１０内に供給され、蓄電装置収納室１１０内の空気が収納室排気口２０６を介して住宅１００の外部へと排出される。このようにして、比較的暖かいリビング１０９内の空気を蓄電装置収納室１１０内へと供給することができ、当該蓄電装置収納室１１０内の温度（収納室温度Ｔ１）を上げることができる。
制御手段２１２は、上記処理を行った後、ステップＳ１０９に移行する。
【００７７】
ステップＳ１０９において、制御手段２１２は、収納室温度Ｔ１がリビング温度Ｔ２以上になったか、又は収納室温度Ｔ１が低温限界温度Ｔｗ以上になったか否かを判定する。
制御手段２１２は、収納室温度Ｔ１がリビング温度Ｔ２以上になった、又は収納室温度Ｔ１が低温限界温度Ｔｗ以上になったと判定した場合、ステップＳ１０５に移行する。
制御手段２１２は、収納室温度Ｔ１がリビング温度Ｔ２より低く、かつ収納室温度Ｔ１が低温限界温度Ｔｗより低いと判定した場合、再度ステップＳ１０９の処理を行う。
【００７８】
上述の如く、制御手段２１２は、収納室温度Ｔ１がリビング温度Ｔ２より高く（ステップＳ１０１）、かつリビング１０９に人が滞在していない（ステップＳ１０２）場合、給気ファン２０５及び排気ファン２０７を駆動させる。
これによって、リビング１０９に人が滞在していたときにエアコン５４等によって冷やされたリビング１０９内の冷たい空気（残熱）を利用して、蓄電装置収納室１１０内の温度を下げることができる。また、リビング給気口２０１を介して住宅１００の外部の空気がリビング１０９内に供給されるため、人がいない間にリビング１０９の換気を行うこともできる。
【００７９】
引き続いて、制御手段２１２は、収納室温度Ｔ１がリビング温度Ｔ２以下になるか、又は収納室温度Ｔ１が高温限界温度Ｔｈ以下になった場合（ステップＳ１０４）、給気ファン２０５及び排気ファン２０７の駆動を停止させる（ステップＳ１０５）。
これによって、収納室温度Ｔ１を高温限界温度Ｔｈ以下の温度（すなわち、蓄電装置４０の稼働に適した温度）まで下げることができる。また、収納室温度Ｔ１を高温限界温度Ｔｈ以下の温度にまで下げることができるほどリビング１０９内の温度（リビング温度Ｔ２）が低くない場合においては、少なくとも収納室温度Ｔ１をリビング温度Ｔ２以下（すなわち、リビング１０９内と同程度の温度）まで下げることができる。
【００８０】
また、制御手段２１２は、収納室温度Ｔ１がリビング温度Ｔ２より低く（ステップＳ１０６）、かつリビング１０９に人が滞在していない（ステップＳ１０７）場合、給気ファン２０５及び排気ファン２０７を駆動させる。
これによって、リビング１０９に人が滞在していたときにエアコン５４等によって暖められたリビング１０９内の暖かい空気（残熱）を利用して、蓄電装置収納室１１０内の温度を上げることができる。また、リビング給気口２０１を介して住宅１００の外部の空気がリビング１０９内に供給されるため、人がいない間にリビング１０９の換気を行うこともできる。
【００８１】
引き続いて、制御手段２１２は、収納室温度Ｔ１がリビング温度Ｔ２以上になるか、又は収納室温度Ｔ１が低温限界温度Ｔｗ以上になった場合（ステップＳ１０９）、給気ファン２０５及び排気ファン２０７の駆動を停止させる（ステップＳ１０５）。
これによって、収納室温度Ｔ１を低温限界温度Ｔｗ以上の温度（すなわち、蓄電装置４０の稼働に適した温度）まで上げることができる。また、収納室温度Ｔ１を低温限界温度Ｔｗ以上の温度にまで上げることができるほどリビング１０９内の温度（リビング温度Ｔ２）が高くない場合においては、少なくとも収納室温度Ｔ１をリビング温度Ｔ２以上（すなわち、リビング１０９内と同程度の温度）まで上げることができる。
【００８２】
以上の如く、本実施形態に係る収納室温度調節システム２００は、住宅１００（建築物）で利用される電力を充放電可能な蓄電装置４０を収納した蓄電装置収納室１１０の室内の温度（収納室温度Ｔ１）を調節する収納室温度調節システム２００であって、住宅１００のリビング１０９（所定の部屋）と蓄電装置収納室１１０とを連通するダクト２０４と、蓄電装置収納室１１０内の温度を検出する第一温度センサ２０８（第一温度検出手段）と、リビング１０９内の温度を検出する第二温度センサ２０９（第二温度検出手段）と、リビング１０９内に人が滞在しているか否かを検出する人検出手段２１１と、蓄電装置収納室１１０内の温度（収納室温度Ｔ１）とリビング１０９内の温度（リビング温度Ｔ２）とが異なり、かつリビング１０９内に人が滞在していない場合、蓄電装置収納室１１０内の温度が設定温度になるまでリビング１０９の空気を蓄電装置収納室１１０へと供給する制御手段２１２と、を具備するものである。
このように構成することにより、リビング１０９に人がいなくなった後、当該リビング１０９の残熱を利用して、蓄電装置収納室１１０内の温度を蓄電装置４０に適した温度に調節することができる。また、リビング１０９に人がいなくなった後の残熱を利用するため、蓄電装置収納室１１０内の温度を調節するためのエネルギーの省エネを図ることができる。さらに、ダクト２０４を用いてリビング１０９と蓄電装置収納室１１０とを接続するため、当該リビング１０９と蓄電装置収納室１１０とを離間して配置することができ、蓄電装置収納室１１０内の蓄電装置４０が発する騒音がリビング１０９に滞在する人に与える影響を少なくすることができ、当該人の快適性を向上させることができる。
【００８３】
また、収納室温度調節システム２００は、リビング１０９の空気を蓄電装置収納室１１０へと供給する手段としてファン（給気ファン２０５及び排気ファン２０７）を具備し、制御手段２１２は、前記ファンを駆動させる際の蓄電装置収納室１１０内の温度（収納室温度Ｔ１）がリビング１０９内の温度（リビング温度Ｔ２）よりも高い場合は、検出されるリビング１０９内の温度（リビング温度Ｔ２）以下の温度又は予め設定される高温限界温度Ｔｈ以下の温度を前記設定温度とするものである。
このように構成することにより、蓄電装置収納室１１０の室内の温度が高温になった場合においては、リビング１０９の冷たい空気を供給し、当該蓄電装置収納室１１０内の温度を蓄電装置４０に適した温度、又は可能な限り低い温度に調節することができる。
【００８４】
また、収納室温度調節システム２００は、リビング１０９の空気を蓄電装置収納室１１０へと供給する手段としてファン（給気ファン２０５及び排気ファン２０７）を具備し、制御手段２１２は、前記ファンを駆動させる際の蓄電装置収納室１１０内の温度（収納室温度Ｔ１）がリビング１０９内の温度（リビング温度Ｔ２）よりも低い場合は、検出されるリビング１０９内の温度（リビング温度Ｔ２）以上の温度又は予め設定される低温限界温度Ｔｗ以上の温度を前記設定温度とするものである。
このように構成することにより、蓄電装置収納室１１０の室内の温度が低温になった場合においては、リビング１０９の暖かい空気を供給し、当該蓄電装置収納室１１０内の温度を蓄電装置４０に適した温度、又は可能な限り高い温度に調節することができる。
【００８５】
また、収納室温度調節システム２００は、リビング１０９の空気を蓄電装置収納室１１０へと供給する手段としてファン（給気ファン２０５及び排気ファン２０７）を具備し、制御手段２１２は、前記ファンを駆動させる際の蓄電装置収納室１１０内の温度（収納室温度Ｔ１）がリビング１０９内の温度（リビング温度Ｔ２）よりも高い場合は、検出されるリビング１０９内の温度（リビング温度Ｔ２）以下の温度又は予め設定される高温限界温度Ｔｈ以下の温度を前記設定温度とし、前記ファンを駆動させる際の蓄電装置収納室１１０内の温度（収納室温度Ｔ１）がリビング１０９内の温度（リビング温度Ｔ２）よりも低い場合は、検出されるリビング１０９内の温度（リビング温度Ｔ２）以上の温度又は予め設定される低温限界温度Ｔｗ以上の温度を前記設定温度とするものである。
このように構成することにより、蓄電装置収納室１１０の室内の温度が高温になった場合においては、リビング１０９の冷たい空気を供給し、当該蓄電装置収納室１１０内の温度を蓄電装置４０に適した温度、又は可能な限り低い温度に調節することができる。また、蓄電装置収納室１１０の室内の温度が低温になった場合においては、リビング１０９の暖かい空気を供給し、当該蓄電装置収納室１１０内の温度を蓄電装置４０に適した温度、又は可能な限り高い温度に調節することができる。
【００８６】
なお、蓄電装置収納室１１０は、住宅１００とは別個の独立した建屋として設けられるものであっても良い。
【００８７】
また、蓄電装置収納室１１０とダクト２０４によって接続される所定の部屋をリビング１０９として説明を行ったが、本発明はこれに限るものではなく、例えば寝室やその他の部屋を蓄電装置収納室１１０と接続する構成とすることも可能である。また、蓄電装置収納室１１０と接続される所定の部屋は１つに限るものではなく、複数の部屋を当該蓄電装置収納室１１０に接続する構成とすることも可能である。この場合、複数の部屋のうち人が滞在していない部屋の空気（残熱）を蓄電装置収納室１１０へと供給することができる。また、複数の部屋のうち人が滞在していない部屋の換気を同時に行うこともできる。
【００８８】
また、本発明に係るファンの一実施形態として給気ファン２０５及び排気ファン２０７の２つのファンを用いたが、当該ファンの個数はこれに限るものではなく、１つ又は３つ以上であっても良い。また、当該ファンの配置は本実施形態に限定するものではなく、蓄電装置収納室１１０内の空気を外部へと排出することができれば良い。
【００８９】
また、本実施形態においては、人検出手段２１１として人感センサ２１１ａによる検出及びエアコン５４の運転状態の検出を組み合わせて用いるものとしたが、本発明はこれに限るものではなく、人が所定の部屋に滞在しているか否かを検出することができるものであれば良い。
例えば、人感センサ２１１ａによる検出及びリビング照明５３のＯＮ／ＯＦＦの検出を組み合わせて用いることも可能である。また、所定の部屋に配置された全ての機器（例えば、照明、エアコン、テレビ等）のＯＮ／ＯＦＦを切り替えるスイッチを設け、当該スイッチがＯＦＦに切り替えられた場合には人が当該所定の部屋には滞在していないと判断する構成とすることも可能である。また、住宅１００の各部屋に備えられた機器を制御手段２１２に接続し、各機器のＯＮ／ＯＦＦの状態から人がどの部屋に滞在しているかを判断し、それによって人が所定の部屋に滞在しているか否かを検出する構成とすることも可能である。
【００９０】
また、制御手段２１２は、電力供給システム１が具備するホームサーバ６０（図２参照）により兼用することも可能である。
【００９１】
また、本実施形態に係る収納室温度調節システム２００の制御態様においては、第三温度センサ２１０により検出された住宅１００の外部の温度を用いていないが、当該住宅１００の外部の温度を制御に用いることも可能である。
例えば、住宅１００の外部の温度に基づいて現在の季節を判断し、例えば夏の間は蓄電装置収納室１１０内の温度を下げるための制御のみを行い、冬の間は蓄電装置収納室１１０内の温度を上げるための制御のみを行う構成とすることも可能である。
【００９２】
また、本実施形態に係る収納室温度調節システム２００の制御態様においては、収納室第二給気口２１３を用いていないが、当該収納室第二給気口２１３を用いて蓄電装置収納室１１０内の温度を調節することも可能である。
【００９３】
具体的には、制御手段２１２は、第三温度センサ２１０により検出された住宅１００の外部の温度が、第一温度センサ２０８により検出された蓄電装置収納室１１０内の温度よりも低い場合、給気ファン２０５を駆動させることなく排気ファン２０７のみを駆動させる。これによって、住宅１００の外部の空気が収納室第二給気口２１３を介して蓄電装置収納室１１０内へと供給されるとともに、蓄電装置収納室１１０内の空気が収納室排気口２０６を介して住宅１００の外部へと排出される。このようにして、リビング１０９内の空気を蓄電装置収納室１１０へと供給することなく、当該蓄電装置収納室１１０内の空気を換気することができ、当該蓄電装置収納室１１０内の温度を下げることができる。
【００９４】
また、制御手段２１２は、第三温度センサ２１０により検出された住宅１００の外部の温度が、第一温度センサ２０８により検出された蓄電装置収納室１１０内の温度よりも高い場合、給気ファン２０５を駆動させることなく排気ファン２０７のみを駆動させる。これによって、リビング１０９内の空気を蓄電装置収納室１１０へと供給することなく、当該蓄電装置収納室１１０内の空気を換気することができ、当該蓄電装置収納室１１０内の温度を上げることができる。
【符号の説明】
【００９５】
１      電力供給システム
４０    蓄電装置
１０９  リビング
１１０  蓄電装置収納室
２００  収納室温度調節システム
２０４  ダクト
２０５  給気ファン
２０７  排気ファン
２０８  第一温度センサ
２０９  第二温度センサ
２１２  制御手段
【図１】
2013136884.tif 000003
【図２】
2013136884.tif 000004
【図３】
2013136884.tif 000005
【図４】
2013136884.tif 000006